(57)【要約】【課題】複数種のポールを備え、当該各ポールを個別又は組み合わせて人体の各部位に最適なマッサージ効果を付与しつつ、収納性及び操作性に優れた多層棒状健康器具の提供を目的とする。【課題を解決するための手段】軸棒と、前記軸棒に設けられた略円環状のローラ複数個と、把持部と、を含み、前記ローラ複数個が前記軸棒の軸方向に対して略垂直な方向において回転自在に設けられ、前記把持部が前記軸棒の両端に配設されて、前記軸棒の軸方向にスライド可能な小径ポールと、長尺方向に貫通する第一中心孔を備える略円筒状の中径ポールと、長尺方向に貫通する第二中心孔を備える略円筒状の大径ポールと、で構成され、前記中径ポールの前記第一中心孔に前記小径ポールが着脱自在に挿入され、前記大径ポールの前記第二中心孔に前記中径ポールが着脱自在に挿入されること、を特徴とする多層棒状健康器具。【選択図】図１
2018196572.tif 000002
【特許請求の範囲】
【請求項１】
軸棒と、前記軸棒に設けられた略円環状のローラ複数個と、把持部と、を含み、前記ローラ複数個が前記軸棒の軸方向に対して略垂直な方向において回転自在に設けられ、前記把持部が前記軸棒の両端に配設されて、前記軸棒の軸方向にスライド可能な小径ポールと、
長尺方向に貫通する第一中心孔を備える略円筒状の中径ポールと、
長尺方向に貫通する第二中心孔を備える略円筒状の大径ポールと、
で構成され、
前記中径ポールの前記第一中心孔に前記小径ポールが着脱自在に挿入され、前記大径ポールの前記第二中心孔に前記中径ポールが着脱自在に挿入されること、
を特徴とする多層棒状健康器具。
【請求項２】
前記把持部が前記小径ポールの長さ方向にスライド可能であり、前記小径ポールの長さが伸縮自在であること、
を特徴とする請求項１に記載の多層棒状健康器具。
【請求項３】
前記中径ポールが、長尺方向に延びる第一凹凸を外表面に備えるとともに、前記大径ポールが、長尺方向に延びる第二凹凸を内表面に備え、
前記大径ポールの前記第二中心孔に前記中径ポールが挿入された際、前記第一凹凸及び前記第二凹凸が互いに嵌合すること、
を特徴とする請求項１又は２に記載の多層棒状健康器具。
【発明の詳細な説明】
【技術分野】
【０００１】
本発明は、複数種のポールを備え、当該各ポールを個別又は組み合わせて人体の各部位に最適なマッサージ効果を付与可能な多層棒状健康器具に関する。
【背景技術】
【０００２】
従来、マッサージは血行を促進するため、健康や美容に有効であることがよく知られている。既に、人体の各部位に適した種々のマッサージ器具が開発及び市販され、多くの人々に愛用されており、特にスポーツを嗜む人間にとって無くてはならないものとなっている。当該マッサージ器具の種類は非常に多岐に渡るが「フォームローラ」等と称される略円筒状のマッサージ器具が存在している。  
【０００３】
当該「フォームローラ」は、人間の部位に円弧状の側面を当接し、回転させてマッサージを行うものである。また、「フォームローラ」上に人体の部位を乗せ、体重を掛けつつ当該「フォームローラ」を回転させることによってもマッサージ効果を得られる特徴を有する。
【先行技術文献】
【特許文献】
【０００４】
【特許文献１】特開２００３−３１０６８７号公報
【発明の概要】
【発明が解決しようとする課題】
【０００５】
しかしながら、上記従来のマッサージ器具（フォームローラ）では、人体の各部位に対して適切なマッサージを行うには、直径の異なる数種のマッサージ器具を準備せざるを得ない。また、数種すべてを用意すると非常に嵩張り、収納性に劣る問題があった。更に、直径の大きなものは操作性が低く、上方から乗って体重を掛けつつマッサージを行う以外の手法を取ることが困難だった。
【０００６】
ここで、マッサージ器具の構造に着目すると、非常に単純な構造であるにも関わらず、直径ごとに独立した構成が成されており、収納性及び操作性に対する備えが成されていないことは明らかであって、未だ改善の余地があった。
【０００７】
そこで、本発明は、上記問題に鑑みて創作されたものであり、複数種のポールを備え、当該各ポールを個別又は組み合わせて人体の各部位に最適なマッサージ効果を付与しつつ、収納性及び操作性に優れた多層棒状健康器具の提供を目的とする。
【課題を解決するための手段】
【０００８】
上記の課題を解決すべく、本発明は、
軸棒と、前記軸棒に設けられた略円環状のローラ複数個と、把持部と、を含み、前記ローラ複数個が前記軸棒の軸方向に対して略垂直な方向において回転自在に設けられ、前記把持部が前記軸棒の両端に配設されて、前記軸棒の軸方向にスライド可能な小径ポールと、
長尺方向に貫通する第一中心孔を備える略円筒状の中径ポールと、
長尺方向に貫通する第二中心孔を備える略円筒状の大径ポールと、で構成され、
前記中径ポールの前記第一中心孔に前記小径ポールが着脱自在に挿入され、前記大径ポールの前記第二中心孔に前記中径ポールが着脱自在に挿入されること、
を特徴とする多層棒状健康器具を提供する。
【０００９】
このような構成を有する本発明の多層棒状健康器具は、小径ポール、中径ポール、大径ポールそれぞれを個別に使用して人体の各部位に適したマッサージを行うことができ、また小径ポール及び中径ポールの組み合わせ、又は小径ポール、中径ポール、及び大径ポールの組み合わせでより強い押圧を人体に与えつつマッサージを行うことが可能である。また、全てのポールを組み合わせることにより収納性が向上し、小さなスペースに対して容易に収納することができる。
【００１０】
上記の本発明の多層棒状健康器具においては、前記把持部が前記小径ポールの長さ方向にスライド可能であり、前記小径ポールの長さが伸縮自在であること、が好ましい。
【００１１】
このような構成を有する本発明の多層棒状健康器具では、小径ポールは把持部をスライドして長さ寸法を変更することができ、例えば中径ポール及び大径ポールと組み合わせた際に、把持部のみを外部に突出させてその他を軸棒の軸方向に対して略垂直な方向に回転させつつマッサージを行うことができ、使用方法のバリエーションが増える。
【００１２】
上記の本発明の多層棒状健康器具においては、前記中径ポールが、長尺方向に延びる第一凹凸を外表面に備えるとともに、前記大径ポールが、長尺方向に延びる第二凹凸を内表面に備え、前記大径ポールの前記第二中心孔に前記中径ポールが挿入された際、前記第一凹凸及び前記第二凹凸が互いに嵌合することが望ましい。
【００１３】
このような構成を有する本発明の多層棒状健康器具は、中径ポールの第一凹凸と、大径ポールの第二凹凸と、を嵌合させつつ当該大径ポール内部に中径ポールを挿入することで、双方のポールをより強固に組み合わせることができる。また、中径ポールは、表面に第一凹凸を備えているため、人体の部位に対して指圧的な効果を付与することができる。
【発明の効果】
【００１４】
本発明により、人体の各部位に最適なマッサージ効果を付与可能で、収納性及び操作性に優れた多層棒状健康器具を提供することができる。
【図面の簡単な説明】
【００１５】
【図１】本実施形態に係る多層棒状健康器具１の概要を示す模式図である。
【図２】本実施形態における多層棒状健康器具１の構造を示す模式図である。
【図３】小径ポール３の構造を示す図であって、図３（ａ）は、小径ポール３の通常状態を示す一部を断面視した側面図であり、図３（ｂ）は、小径ポール３の延長状態を示す一部を断面視した側面図である。
【図４】中径ポール５の構造を示す図であって、図４（ａ）は、中径ポール５の端面を正面視した正面図であり、図４（ｂ）は、中径ポール５の一部を断面視した側面図である。
【図５】大径ポール７の構造を示す図であって、図５（ａ）は、大径ポール７の端面を正面視した正面図であり、図５（ｂ）は、大径ポール７の一部を断面視した側面図である。
【図６】小径ポール３を用いたマッサージ方法を示す模式図である。
【図７】小径ポール３と中径ポール５とを組み合わせる方法を示す図であって、図７（ａ）は、組み合わせ前の配置を示す模式図であり、図７（ｂ）は、組み合わせた状態を示す模式図である。
【図８】中径ポール５を用いたマッサージ方法を示す模式図である。
【図９】小径ポール３を挿入した中径ポール５と大径ポール７とを組み合わせる方法を示す図であって、図９（ａ）は、組み合わせ前の配置を示す模式図であり、図９（ｂ）は、組み合わせた状態を示す模式図である。
【図１０】大径ポール７を用いたマッサージ方法を示す模式図である。
【発明を実施するための形態】
【００１６】
以下、本発明に係る多層棒状健康器具１の一実施形態を、図１〜図１０を参照しながら詳細に説明する。但し、本発明は図示されるものに限られず、また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１７】
１．多層棒状健康器具１の概要
図１を用いて本実施形態における多層棒状健康器具１の概要について説明する。図１は、本実施形態に係る多層棒状健康器具１の概要を示す模式図である。図１に示すとおり、本実施形態の多層棒状健康器具１は、小径ポール３と、中径ポール５と、大径ポール７と、における複数のポールを単体又は組み合わせて人体の所望の部位をマッサージする健康器具である。全てのポールを組み合わせた際、各ポールが略入子状となるため、中径ポール５及び大径ポール７を使用した際の外圧に対する変形抵抗が高く、更に優れた収納性も兼ね備えたものである。
【００１８】
＜多層棒状健康器具１の構造＞
次に、図２を用いて本実施形態における多層棒状健康器具１の構造について詳細に説明する。図２は、本実施形態における多層棒状健康器具１の構造を示す模式図である。図２に示すとおり、本多層棒状健康器具１は、概ね小径ポール３と、中径ポール５と、大径ポール７と、から構成されている。上述のとおり、各ポールは入子状の組立構造を備えており、大径ポール７の内部には中径ポール５を挿入可能で、中径ポール５の内部には小径ポール３を挿入可能に構成されている。使用者は当該各ポールから選択して対象部位のマッサージに使用することになる。
【００１９】
＜小径ポール３＞
続いて図３（ａ）及び（ｂ）を用い、小径ポール３の構造について詳細に説明する。図３（ａ）及び（ｂ）は、小径ポール３の構造を示す図であって、図３（ａ）は、小径ポール３の通常状態（縮めた状態）を示す一部を断面視した側面図であり、図３（ｂ）は、小径ポール３の延長状態（伸ばした状態）を示す一部を断面視した側面図である。
【００２０】
図３（ａ）及び（ｂ）に示すとおり、小径ポール３は、本実施形態の多層棒状健康器具１を構成する３種のポールのうち、最も細い直径寸法を有しており、概ね当該小径ポール３の軸となる軸棒９と、当該軸棒９に挿通された複数個のローラ１１と、該複数のローラ１１の両端位置に配置される固定台３１と、使用者が把持して操作するため軸棒９の両端部に配設された把持部１３と、から構成されている。また、把持部１３のどちらか一方にはストラップ１５が設けられてもよく、当該ストラップ１５によって小径ポール３の操作性及び取扱性を向上することができる。
【００２１】
軸棒９は、種々の金属又は硬質の樹脂材料等で形成された略棒状の部品であって、小径ポール３の内部中心に配設されており、当該小径ポール３全体の剛性を保持している。また、当該軸棒９の両端部には小径ポール３全体の伸縮操作を行う際に把持部１３の位置調整を行う略円盤状の鍔部３３を具備している。
【００２２】
ローラ１１は、種々の樹脂で形成された略円環状の部品であって、内部には軸棒９を挿通するための孔２９を有し、表面には人体のマッサージ効果を向上するための凹凸２５が備わっている。当該凹凸２５の詳細な形状は限定されないが、本実施形態では表面に長尺方向に延びる凹部と凸部とを規則的に連続して形成されたものである。また、本実施形態では４つのローラ１１が小径ポール３に具備される。
【００２３】
固定台３１は、種々の金属又は樹脂で形成された円盤状の部品であって、略中心部に軸棒９を挿通するための孔が備わっている。当該固定台３１は所定の厚さで構成され、ローラ１１の直径よりも小さく、かつ把持部１３の端部（ローラ１１側）と同等以上の直径寸法で形成されることが好ましい。
【００２４】
把持部１３は、例えばＥＰＭやＥＰＤＭ等の合成ゴム等で形成された略円筒状の部品であって、一方の端部は閉口され、他方の端部（ローラ１１側）は軸棒９と略同様の直径寸法で開口し、内部の中空部２７と連通している。当該中空部２７は、所定の長さかつ上述の鍔部３３と略同寸法の直径を備えており、把持部１３の一方の端部（ローラ１１側）における開口位置のみ縮径され、該把持部１３の内部で拡幅された形状となっている。
なお、把持部１３の表面には突起（図示せず）等が形成されていることが好ましく、当該突起を施すことにより使用者が把持した際に把持部１３と該使用者の掌内との間で高い摩擦力が発生し、滑りを好適に抑制することができる。
【００２５】
また、把持部１３の閉口された一方の端部にはストラップ１５が配設され、上述のとおり小径ポール３の操作性及び取扱性を向上している。当該ストラップ１５は、生地又は樹脂等で形成された所定の長さを有する略紐状の部品であって、輪状にしつつ把持部１３の端部に固定されている。なお、本実施形態では一方の把持部１３のみにストラップ１５を配設しているが、これに限定にされるものではなく、軸棒９に接続された両方の把持部１３に配設してもよい。
【００２６】
図３（ａ）及び（ｂ）に示すとおり、小径ポール３は、上記の軸棒９、ローラ１１、固定台３１、及び把持部１３を組み合わせて構成されている。各部品の組立構成についてより具体的には、４つのローラ１１を並列させ、それぞれの孔２９を略直線状にした状態で軸棒９が挿通される。当該４つのローラ１１を軸棒９の中心に並列配置した後、両端部に位置するローラ１１の外側に固定台３１を取り付け、各ローラ１１を略固定し、軸棒９の軸方向に対する平行移動のみを抑制する。
【００２７】
更に、軸棒９の両端それぞれを把持部１３の中空部２７に挿入し、当該軸棒９の両端部に配設された鍔部３３を当該中空部２７内で略ピストン運動可能に嵌合させる。これにより、当該中空部２７の長さ寸法に応じて把持部１３を軸方向にスライドすることができる。
【００２８】
これにより、使用者は両端の把持部１３の一方又は両方を把持し、小径ポール３を用いた所望の部位に対するマッサージ操作を容易に行うことができる。また、４つのローラ１１は、軸棒９の軸方向に対して略垂直な方向に回転自在となるため、マッサージ使用時に当該ローラ１１が使用者の被マッサージ部位に当接しつつ回転し、当該ローラ１１の凹凸２５が指圧に近い効果を発揮する。
【００２９】
小径ポール３は、両方の把持部１３の部分をスライドさせることによって伸縮自在であり、把持部１３をローラ１１側にスライドして縮めた状態が通常状態（長さＬ１）で、両方の把持部１３を外側に対して最大限にスライドして伸ばした状態が延長状態（長さＬ２）である。この長さＬ１及びＬ２は常にＬ１＜Ｌ２の関係にある。当該通常状態は、小径ポール３を単体又はその他のポールと組み合わせて使用する際に用いる状態であって、延長状態は、小径ポール３をその他のポールと組み合わせて使用する際に、より操作性及び多種のマッサージ効果を使用者に付与するための状態である。
【００３０】
＜中径ポール５＞
次に、図４（ａ）及び（ｂ）を用いて中径ポール５の構造について詳細に説明する。図４（ａ）及び（ｂ）は、中径ポール５の構造を示す図であって、図４（ａ）は、中径ポール５の端面を正面視した正面図であり、図４（ｂ）は、中径ポール５の一部を断面視した側面図である。
【００３１】
図４（ａ）及び（ｂ）に示すとおり、中径ポール５は、本実施形態の多層棒状健康器具１を構成する一つのポールであって、例えばポリエチレン等の樹脂を用い、発砲加工を施して形成された略円筒状の部品である。当該中径ポール５は、長さ寸法がＬ１（小径ポール３及び大径ポール７と同様）で外径が後述する大径ポール７の内径（第二中心孔２１の直径）と略同寸法に形成されている。また、内部には軸方向に貫通し、両端面を連通する第一中心孔１７が備わっており、当該第一中心孔１７に小径ポール３を挿入して略固定することができる。
【００３２】
中径ポール５の表面には、長尺方向に延び、円周方向に沿って規則的に繰り返し形成された第一凹凸１９が備わっている。当該第一凹凸１９は、中径ポール５を大径ポール７内に挿入した際、大径ポール７が備える第二中心孔２１の表面に形成された第二凹凸２３（後述にて説明）と表面形状が嵌合するように形成されている。従って、第一凹凸１９と、第二凹凸２３と、における双方の凸部と凹部とは、略同寸法の高低差及びピッチで形成されることが望ましい。
【００３３】
また、第一中心孔１７は、小径ポール３が備えたローラ１１の外径と略同寸法の直径を有する貫通孔であって、中径ポール５の両端の端面を連通している。当該第一中心孔１７に小径ポール３を挿入した際、中径ポール５の弾性によりローラ１１を把持して小径ポール３の略固定を行う。
【００３４】
＜大径ポール７＞
続いて、図５（ａ）及び（ｂ）を用いて大径ポール７の構造について詳細に説明する。図５（ａ）及び（ｂ）は、大径ポール７の構造を示す図であって、図５（ａ）は、大径ポール７の端面を正面視した正面図であり、図５（ｂ）は、大径ポール７の一部を断面視した側面図である。
【００３５】
図５（ａ）及び（ｂ）に示すとおり、大径ポール７は、本実施形態の多層棒状健康器具１を構成する３種のポールのうち、最も太い直径寸法を有したポールであって、概ね外部表面側に配置される外筒７Ａと、第二中心孔２１側に配置される内筒７Ｂと、から構成されている。
【００３６】
外筒７Ａは、例えば発砲ポリエチレン等、中径ポール５と同様の樹脂、又はＥＶＡ樹脂やＰＶＣ樹脂等により所定の硬度を付与して形成された略円筒状の部品である。また、内筒７Ｂは、例えばＥＶＡ樹脂やＰＶＣ樹脂を用いて形成された所定の硬度を有する略円筒状の部品であり、
【００３７】
当該外筒７Ａと内筒７Ｂとは、双方とも長さ寸法をＬ１（小径ポール３及び中径ポール５と同様）とし、外筒７Ａの内径寸法と、内筒７Ｂの外径寸法と、を略同寸法に形成している。外筒７Ａの外径寸法は、マッサージを行う対象部位、及び使用者の身体サイズに応じて決定することが好ましく、より好ましくは８０ｍｍ〜３００ｍｍの範囲で形成する。また、内筒７Ｂの内部には軸方向に貫通して両端面を連通する第二中心孔２１が備わっている。更に当該第二中孔２３の表面には、長尺方向に延び、円周方向に沿って規則的に繰り返し形成された第二凹凸２３が備わっており、中径ポール５の第一凹凸１９と嵌合することができる。
【００３８】
上記構造を有する外筒７Ａと内筒７Ｂとは、当該外筒７Ａの内部に内筒７Ｂを完全に挿入して双方を固定し、大径ポール７を構成している。当該大径ポール７は、内部に備えた第二中心孔２１に、第一凹凸１９と第二凹凸２３とを嵌合させつつ中径ポール５を挿入することで該中径ポール５を第二中心孔２１内に略固定することができる。第一凹凸１９と第二凹凸２３とを嵌合させることにより、中径ポール５が大径ポール７内で回転することを抑制し、組み合わせて使用した際により操作性を向上させることができる。
【００３９】
２．小径ポール３、中径ポール５、及び大径ポール７の使用方法
＜小径ポール３＞
次に、図６を用いて小径ポール３の使用方法について説明する。図６は、小径ポール３を用いたマッサージ方法を示す模式図である。図６に示すとおり、小径ポール３は、使用者が把持部１３を把持しつつローラ１１を、マッサージを所望する部位に当接し、ローラ１１を回転させつつ当該部位を押圧することでマッサージを行うものである。例えば背中や脚に対するマッサージに適しており、背中は棘下筋、小円筋、大円筋、及び広背筋等への使用、脚は大腿四頭筋、大腿二頭筋、腓腹筋、及び脛等への使用が効果的である。
【００４０】
＜中径ポール５＞
続いて、図７（ａ）及び（ｂ）と図８とを用いて中径ポール５の使用方法について説明する。図７（ａ）及び（ｂ）は、小径ポール３と中径ポール５とを組み合わせる方法を示す図であって、図７（ａ）は、組み合わせ前の配置を示す模式図であり、図７（ｂ）は、組み合わせた状態を示す模式図である。また、図８は、中径ポール５を用いたマッサージ方法を示す模式図である。
【００４１】
中径ポール５は、単体又は図７（ｂ）に示すとおり小径ポール３と組み合わせてマッサージに使用することができる。単体で使用した場合は、中径ポール５が備えた可撓性により適度に変形し、人体に対してクッション性を付与したマッサージ効果を与えることができる。また、小径ポール３と組み合わせた場合は、内部中心に当該小径ポール３が挿入されるため、中径ポール５の合成が向上し、よりしっかりと部位を押圧してマッサージを行うことができる。
【００４２】
小径ポール３と、中径ポール５と、の具体的な組み合わせ方法は、図７（ａ）及び（ｂ）に示すとおり、まず、双方のポールを同軸にし、小径ポール３を中径ポール５の第一中心孔１７に挿入する。小径ポール３の双方の把持部１３が中径ポール５内に納まった状態で双方の組み合わせが完了し、長さＬ１の通常状態として使用することができる。また、当該通常状態から小径ポール３の双方の把持部１３を外側にスライドして抜去することで長さＬ２の延長状態として使用することができる。
【００４３】
図８に示すとおり、中径ポール５は、例えば脇、腰部、及び脚に対するマッサージに適しており、脇は広背筋、大円筋、三角筋、及び上腕三頭筋等への使用、腰部は大殿筋、及び胸腰筋膜等への使用、脚はアキレス腱、ヒラメ筋、腓腹筋等への使用が効果的である。
【００４４】
＜大径ポール７＞
続いて、図９（ａ）及び（ｂ）と図１０とを用いて大径ポール７の使用方法について説明する。図９（ａ）及び（ｂ）は、小径ポール３を挿入した中径ポール５と大径ポール７とを組み合わせる方法を示す図であって、図９（ａ）は、組み合わせ前の配置を示す模式図であり、図９（ｂ）は、組み合わせた状態を示す模式図である。また図１０は、大径ポール７を用いたマッサージ方法を示す模式図である。
【００４５】
大径ポール７は、単体又は図９（ｂ）に示すとおり小径ポール３及び中径ポール５と組み合わせてマッサージに使用することができる。単体で使用した場合は、大径ポール７が備えた可撓性により適度に変形し、人体に対してクッション性を付与したマッサージ効果を与えることができる。また、小径ポール３及び中径ポール５と組み合わせた場合は、内部中心に当該小径ポール３及び中径ポール５が挿入されるため、大径ポール７の合成が向上し、よりしっかりと部位を押圧してマッサージを行うことができる。
【００４６】
小径ポール３及び中径ポール５と、大径ポール７と、の具体的な組み合わせ方法（あらかじめ小径ポール３と中径ポール５とを組み合わせた状態）は、図９（ａ）及び（ｂ）に示すとおり、まず、小径ポール３及び中径ポール５と大径ポール７とを同軸にし、小径ポール３及び中径ポール５を大径ポール７の第二中心孔２１に挿入する。小径ポール３及び中径ポール５大径ポール７内に納まった状態で双方の組み合わせが完了し、長さＬ１の通常状態として使用することができる。また、当該通常状態から小径ポール３の双方の把持部１３を外側にスライドして抜去することで長さＬ２の延長状態として使用することができる。
【００４７】
大径ポール７は、小径ポール３及び中径ポール５と比して大きな直径を備えているため、図１０に示すとおり、人体の多くの部位のマッサージに適している。
【００４８】
以上、本発明の一実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【産業上の利用可能性】
【００４９】
本発明の多層棒状健康器具は、複数種のポールを備え、当該各ポールを個別又は組み合わせて人体の各部位に最適なマッサージ効果を付与しつつ、収納性及び操作性に優れたものである。また、複数種のポールを有し、かつそれぞれを組み合わせて使用できることから、より幅広いマッサージ方法を実施することができ、人体に対して効果的な血行促進及びリラックス効果を与えることができるものである。また、身体を鍛えることにも使用可能であり、メンテナンスからトレーニングまで健康促進のための様々な場面に適用可能である。
【符号の説明】
【００５０】
１      多層棒状健康器具
３      小径ポール
５      中径ポール
７      大径ポール
７Ａ    外筒
７Ｂ    内筒
９      軸棒
１１    ローラ
１３    把持部
１５    ストラップ
１７    第一中心孔
１９    第一凹凸
２１    第二中心孔
２３    第二凹凸     
２５    凹凸
２７    中空部
２９    孔
３１    固定台
３３    鍔部
Ｌ１    長さ
Ｌ２    長さ
【図１】
2018196572.tif 000003
【図２】
2018196572.tif 000004
【図３】
2018196572.tif 000005
【図４】
2018196572.tif 000006
【図５】
2018196572.tif 000007
【図６】
2018196572.tif 000008
【図７】
2018196572.tif 000009
【図８】
2018196572.tif 000010
【図９】
2018196572.tif 000011
【図１０】
2018196572.tif 000012
【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
軸棒と、前記軸棒に設けられた略円環状のローラ複数個と、前記軸棒の両端に配設された略円筒状の把持部と、を含み、前記ローラ複数個が前記軸棒の軸方向に対して略垂直な方向において回転自在に設けられ、前記軸棒が前記ローラ複数個の両側において更に外側に延びており、かつ前記把持部が前記軸棒の軸方向において外側に伸びるようにスライド可能な小径ポールと、
長尺方向に貫通する第一中心孔を備える略円筒状の中径ポールと、
長尺方向に貫通する第二中心孔を備える略円筒状の大径ポールと、
で構成され、
前記中径ポールの前記第一中心孔に前記小径ポールが着脱自在に挿入され、前記大径ポールの前記第二中心孔に前記中径ポールが着脱自在に挿入されること、
を特徴とする多層棒状健康器具。
【請求項２】
前記中径ポールが、長尺方向に延びる第一凹凸を外表面に備えるとともに、前記大径ポールが、長尺方向に延びる第二凹凸を内表面に備え、
前記大径ポールの前記第二中心孔に前記中径ポールが挿入された際、前記第一凹凸及び前記第二凹凸が互いに嵌合すること、
を特徴とする請求項１に記載の多層棒状健康器具。